(57)【特許請求の範囲】
【請求項１】
燃料のガスの流量を調節する流量調節手段の直下のガス通路内に開口する圧力検出口から、前記流量調節手段の下流の圧力を検出する流体圧力の検出装置であって、
前記ガス通路には、下流に向けられた開口部と前記圧力検出口とを連通させる静圧化手段が取り付けられ、
下流に向けられた前記開口部は、正圧の流体が流入する開口部である
ことを特徴とする流体圧力の検出装置。
【請求項２】
請求項１の流体圧力の検出装置において、
前記圧力検出口が設けられる前記ガス通路は、前記流量調節手段の直下に接続される電磁切替弁の弁ハウジングに設けられている
ことを特徴とする流体圧力の検出装置。
【請求項３】
請求項２の流体圧力の検出装置において、
前記静圧化手段は、
前記弁ハウジングにおいて前記流量調節手段が接続される側に設けられた突起を挟み付けて装着され、前記圧力検出口を覆って下流に向けられた開口部と前記圧力検出口とを連通させるカバーである
ことを特徴とする流体圧力の検出装置。
【発明の詳細な説明】
【０００１】
【発明の属する技術分野】
この発明は、ガスの流量を調節する流量調節手段の作動検査等を行う際に使用される流体圧力の検出装置に関する。
【０００２】
【従来の技術】
流量調節手段の作動検査等を行うために、流量調節手段の下流のガス通路内に圧力検出口を設け、この圧力検出口の圧力を検査する手段が用いられている。
【０００３】
【発明が解決しようとする課題】
この圧力検出口は、ガス種による部品変更のない流量調節手段の直下に設ける要求がある。
しかるに、流量調節手段の直下は、乱流によって動圧となり、正確な圧力を測定することができず、特に低ウォッペガスでは大流量のガスが流れるため、乱流が大きく、測定精度が特に悪くなる。
このため、従来の技術では、圧力検出口を流量調節手段の直下に設ける要求には応えられなかった。
【０００４】
【発明の目的】
この発明は、上記事情に鑑みてなされたもので、その目的は、圧力検出口を流量調節手段の直下に設けても、流量調節手段の下流の正確な圧力を測定することのできる流体圧力の検出装置の提供にある。
【０００５】
【課題を解決するための手段】
この発明は、上記の目的を達成するために、次の技術的手段を採用する。
〔請求項１の手段〕
流体圧力の検出装置は、
燃料のガスの流量を調節する流量調節手段の直下のガス通路内に開口する圧力検出口から、前記流量調節手段の下流の圧力を検出する流体圧力の検出装置であって、
前記ガス通路には、下流に向けられた開口部と前記圧力検出口とを連通させる静圧化手段が取り付けられ、
下流に向けられた前記開口部は、正圧の流体が流入する開口部であることを特徴とする。
【０００６】
〔請求項２の手段〕
請求項１の流体圧力の検出装置において、
前記圧力検出口が設けられる前記ガス通路は、前記流量調節手段の直下に接続される電磁切替弁の弁ハウジングに設けられていることを特徴とする。
【０００７】
〔請求項３の手段〕
請求項２の流体圧力の検出装置において、
前記静圧化手段は、
前記弁ハウジングにおいて前記流量調節手段が接続される側に設けられた突起を挟み付けて装着され、前記圧力検出口を覆って下流に向けられた開口部と前記圧力検出口とを連通させるカバーであることを特徴とする。
【０００８】
【作用および発明の効果】
流体圧力の検出装置は、圧力検出用の圧力検出口が流量調節手段の直下のガス通路内に開口する。このため、圧力検出口の周辺は乱流が発生している。
しかるに、圧力検出口は、静圧化手段によって下流に向けられた開口部と連通されている。このため、静圧化手段によって、ガス通路内を流れるガスが直接圧力検出口には流入せず、下流側から回り込んだガスが圧力検出口に流入するようになる。
この結果、圧力検出口に導かれる圧が静圧化し、流量調節手段の直下においても正確な圧力を測定することができる。
【０００９】
【発明の実施の形態】
本発明の実施の形態を、実施例および変形例に基づき説明する。
〔実施例〕
実施例を図１ないし図３を用いて説明する。なお、図１はガスコントローラの断面図、図２および図３はカバーを示す図である。
【００１０】
図１に示すガスコントローラ１は、ガス燃焼式の暖房装置やガス給湯器等のガス燃焼装置に用いられるもので、ガスの流入口２を備え、電磁安全弁３および電磁比例弁４が組み付けられた第１弁ハウジング５と、電磁比例弁４の直下の第１弁ハウジング５に固定され、２つの電磁切替弁６が組み付けられた第２弁ハウジング７とを備える。なお、第２弁ハウジング７は、電磁比例弁４から供給されるガスを２つの通路に分けるように設けられており、分岐後のそれぞれの通路が、２つの電磁切替弁６（図面では一方のみを示す）によって開閉可能に設けられている。
【００１１】
電磁安全弁３は、通電されると、第１弁ハウジング５において電磁比例弁４の上流に設けられた安全弁用開口８を開弁してガスの流入口２から流入したガスを電磁比例弁４へ供給し、通電が停止されると、安全弁用開口８を閉弁して電磁比例弁４へガスの供給を停止するものである。
【００１２】
電磁比例弁４は、本発明の流量調節手段に相当し、通電量が可変されると、第１弁ハウジング５の下流側に設けられた比例弁用開口９の開口面積を可変させて、比例弁用開口９を通過するガスの流量を調節するものである。なお、この電磁比例弁４は、ガス圧を調圧するガバナＧが一体に設けられている。
【００１３】
２つの電磁切替弁６は、上述のように、第２弁ハウジング７内で分岐した２つの通路を独立して開閉するもので、一方のみが通電されると、第２弁ハウジング７内で分岐した一方の通路の切替弁用開口１０（図面では一方のみを示す）を開弁して半開運転を行い、両方が通電されると、第２弁ハウジング７内で分岐した２つの通路のそれぞれの切替弁用開口１０を開弁して全開運転を行うものである。
【００１４】
２つの電磁切替弁６の上流側の第２弁ハウジング７には、電磁比例弁４を通過したガスを両電磁切替弁６に送るガス通路１１が設けられている。このガス通路１１には、出荷前などにおいて電磁比例弁４の下流圧力を検出することによって、作動検査を行うための圧力検出口１２が設けられている。圧力検出口１２は、第２弁ハウジング７の外部に連通する検出用通路１２ａに繋がり、第２弁ハウジング７の外部から検出用通路１２ａに接続された圧力測定装置（図示しない）によって、流体圧Ｐが測定される。なお、検出用通路１２ａは、検査後において図示しない盲栓等で塞がれる。
【００１５】
圧力検出口１２は、ガス通路１１の平面部１１ａに開口している。この開口部分は、電磁比例弁４を通過した直後で、且つ２つの電磁切替弁６の分岐直前であるため、ガスの流れが乱流となり、検査時に大流量のガス（あるいは検査用の流体）を流すと乱流による動圧により、正確な圧力を測定することができない。そこで、圧力検出口１２のガス導入部分を静圧化するために、ガス通路１１には、カバー１３が取り付けられている。このカバー１３は、下流に向く開口部１３ａと、圧力検出口１２とを連通させる静圧化手段である。
【００１６】
このカバー１３は、図２および図３に示すように、弾性変形可能な金属プレートをプレス加工によって形成したもので、第２弁ハウジング７の上流側に設けられた突起１４を挟み付けた状態で装着され、圧力検出口１２を覆って下流に向けられた開口部１３ａと、圧力検出口１２とを連通させるものである。
【００１７】
カバー１３の具体的な構造を説明する。カバー１３は、ガス通路１１の平面部１１ａにおいて圧力検出口１２の周囲を覆う覆い部１３ｂと、この覆い部１３ｂとの間に突起１４を挟み付ける２つのアーム１３ｃとを備える。覆い部１３ｂには、下流に向けられた開口部１３ａと圧力検出口１２とを連通させる膨出部１３ｄと、ガス通路１１の平面部１１ａに形成された凹部１１ｂに係止する係止片１３ｅとが設けられている。そして、覆い部１３ｂと２つのアーム１３ｃとの間に突起１４を挟み付け、且つ係止片１３ｅが凹部１１ｂに係止することで、カバー１３は第２弁ハウジング７に装着される。
【００１８】
（実施例の効果）
本実施例の流体圧力の検出装置は、圧力検出用の圧力検出口１２が乱流の発生する電磁比例弁４の直下のガス通路１１に開口するが、圧力検出口１２は、静圧化手段であるカバー１３によって下流に向けられた開口部１３ａと連通されている。このため、カバー１３によって、ガス通路１１を流れるガスが直接圧力検出口１２には流入せず、カバー１３の下流の開口部１３ａから回り込んだガスが圧力検出口１２に流入する。
【００１９】
この結果、圧力検出口１２に導かれる流体圧Ｐが静圧化し、電磁比例弁４の直下においても正確な圧力を測定することができる。
静圧化によって、流れる流量に対して変化する動圧の変化量の影響が無くなるため、流量変動に対する圧力変化に圧力測定装置が追惰でき、検出値の正確さが増す。具体的には、カバー１３を用いない場合、流量変動に対する検出値の変化率は３．６５％で、大きなズレが生じていたが、本発明を適用してカバー１３を用いた場合では、変化率が０．０６％におさまった。
つまり、圧力検出口１２を、ガス種による部品変更のない電磁比例弁４の直下のガス通路１１に設けても、本発明を適用したことによって、正確な圧力を測定することができる。
【００２０】
〔変形例〕
上記の実施例では、静圧化手段の一例として、圧力検出口１２を覆うカバー１３を例に示したが、圧力検出口１２に接続され、端部の開口が下流に向けられたＬ字管を静圧化手段として用いても良い。
上記の実施例では、流量調節手段（実施例の電磁比例弁４）の直下に電磁切替弁６が設けられた例を示したが、電磁切替弁６のないガスコントローラ１等に本発明を適用しても良い。
【図面の簡単な説明】
【図１】ガスコントローラの断面図である。
【図２】カバーの断面図である。
【図３】カバーの平面図である。
【符号の説明】
４    電磁比例弁（流量調節手段）
６    電磁切替弁
７    第２弁ハウジング（弁ハウジング）
１１    ガス通路
１２    圧力検出口
１３    カバー（静圧化手段）
１３ａ  下流に向けられた開口部
１４    突起
【図１】
0003556057.tif 000002
【図２】
0003556057.tif 000003
【図３】
0003556057.tif 000004